(57)【要約】【課題】電子看板の画像を簡単に作成すること。【解決手段】対象物を撮像して画像を取得する撮像部と、対象物に付設されたバーコードを読み取るバーコード読み取り部と、読み取ったバーコードを復号化してバーコード情報とする復号化処理部と、取得された対象物の画像とバーコード情報と用いて広告用表示データを作成する制御部と、作成された広告用表示データを表示する表示部とを備える。【選択図】図１
2013222050.tif 000002
【特許請求の範囲】
【請求項１】
対象物を撮像して画像を取得する撮像部と、対象物に付設されたバーコードを読み取るバーコード読み取り部と、読み取ったバーコードを復号化してバーコード情報とする復号化処理部と、取得された対象物の画像とバーコード情報と用いて広告用表示データを作成する制御部と、作成された広告用表示データを表示する表示部とを備える広告用画像表示処理システム。
【請求項２】
前記撮像部とバーコード読み取り部と復号化処理部と制御部を収容する第１ユニットと、前記表示部を収容する第２ユニットと、第１および第２ユニットを無線通信で結合し前記広告表示データを前記表示部へ伝達する無線通信部とをさらに備える請求項１記載の広告用画像表示処理システム。
【請求項３】
制御部は、対象物の画像が表示部の第１領域に、バーコード情報が表示部の第２領域に表示されるように広告用表示データを作成する請求項１又は２記載の広告用画像表示処理システム。
【請求項４】
第１ユニットが携帯情報端末からなる請求項２記載の広告用画像表示処理システム。
【発明の詳細な説明】
【技術分野】
【０００１】
この発明は、広告画像を表示する広告用表示装置に関する。
【背景技術】
【０００２】
一般の広告用表示装置としては、従来から様々な技術が提案されている。近年ではデジタルサイネージ（電子看板）としてスーパーなどの店舗内外にて様々な情報を映像広告としてディスプレイに表示し、お客や通行人などに向けて情報が発信されている。
【０００３】
これらの広告はテレビなどの不特定多数の人に向け発信するのではなく、ディスプレイの設置場所が決まっているためターゲットを絞った広告ができるという利点がある。しかしながら、スーパー等では、特売や時間帯別に広告表示したい内容の変更等により広告表示内容を頻繁に変更する必要がある。表示内容を変更する手段としては、広告用表示装置にネットワークで接続されたサーバ経由で行なうか、ローカル接続されたパソコン等で変更を行なう等の作業を必要とするため、変更作業に時間や手間がかかるといった煩わしさを伴なうといった問題があった。
【０００４】
そこで、広告用表示データの変更を容易に行える様に、商品コードが記録された無線ＩＣタグを事前に設定された時間に自動で読み取ることにより、店員の読取り操作をなくすことを可能とした技術が知られている（例えば特許文献１参照）。
【先行技術文献】
【特許文献】
【０００５】
【特許文献１】特開２０１０−０２００５１号公報
【発明の概要】
【発明が解決しようとする課題】
【０００６】
しかしながら、従来の方法では、商品コードを記録した無線ＩＣタグに対応した商品すべてについて、事前に管理サーバに対応した広告用表示データをパソコン等で作成しておく必要があり、広告用表示データの作成という煩わしさについての対応が十分ではない。また、その商品すべての広告用データを記録しておく記録部と、管理サーバを必要とするため設備管理という点でも費用がかかるという懸念もある。
【０００７】
この発明は、このような事情を考慮してなされたもので、カメラ等によって得られた商品画像と、商品のバーコードを読取ることで得られた商品情報から、簡単に広告用表示画像を形成して表示するようにしたシステムを提供するものである。
【課題を解決するための手段】
【０００８】
この発明は、対象物を撮像して画像を取得する撮像部と、対象物に付設されたバーコードを読み取るバーコード読み取り部と、読み取ったバーコードを復号化してバーコード情報とする復号化処理部と、取得された対象物の画像とバーコード情報と用いて広告用表示データを作成する制御部と、作成された広告用表示データを表示する表示部とを備える広告用画像表示処理システムを提供するものである。
【発明の効果】
【０００９】
この発明によれば、対象物を撮像してバーコードを読み取るだけで、広告用表示データが作成されて表示されるので、広告用表示データの作成と表示をきわめて簡単に行うことができる。
【図面の簡単な説明】
【００１０】
【図１】この発明のシステムのユニット１を示すブロック図である。
【図２】この発明のシステムのユニット２を示すブロック図である。
【図３】この発明のシステムの動作を示すフローチャートである。
【図４】この発明の広告用表示の一例を示す説明図である。
【発明を実施するための形態】
【００１１】
この発明の広告用画像表示処理システムは、対象物を撮像して画像を取得する撮像部と、対象物に付設されたバーコードを読み取るバーコード読み取り部と、読み取ったバーコードを復号化してバーコード情報とする復号化処理部と、取得された対象物の画像とバーコード情報と用いて広告用表示データを作成する制御部と、作成された広告用表示データを表示する表示部とを備えることを特徴とする。
【００１２】
前記撮像部とバーコード読み取り部と復号化処理部と制御部を収容する第１ユニットと、前記表示部を収容する第２ユニットと、第１および第２ユニットを無線通信で結合し前記広告表示データを前記表示部へ伝達する無線通信部とをさらに備えてもよい。
制御部は、対象物の画像が表示部の第１領域に、バーコード情報が表示部の第２領域に表示されるように広告用表示データを作成してもよい。
【００１３】
以下、図面に示す実施形態に基づいてこの発明を詳述する。
図１はこの発明の広告用画像表示処理システムの第１ユニットを示すブロック図である。同図に示すように、第１ユニット１００は、商品のような対象物を撮像して画像を取得する撮像部（カメラ）２と、対象物に付設されたバーコードを読み取るバーコード読み取り部（バーコードリーダ）３と、バーコード読み取り部３の読み取ったバーコードを復号化してバーコード情報とする復号化処理部４と、取得された対象物の画像のデータと復号化されたバーコード情報を格納するメモリ部（ＲＡＭ）８と、画像データとバーコード情報とをメモリ部８から読み出して広告用表示データを作成する制御部９と、作成された広告用表示データを使用者がチェックするために表示する確認用表示部（液晶表示パネル）６と、作成された広告用表示データをアンテナ１から無線で発信する通信部７と、使用者が制御部９を操作する操作部５とを収容する。
なお、制御部９はＣＰＵ，ＲＯＭ，ＲＡＭからなるマイクロコンピュータを備え、操作部５からの出力をうけて、撮像部２とバーコード読み取り部３と復号化処理部４とメモリ部８と確認用表示部６と通信部７などを制御する。
【００１４】
図２はこの発明の広告用画像表示処理システムの第２ユニットを示すブロック図である。同図に示すように、第２ユニット２００は、第１ユニット１００（図１）が発信した広告用表示データをアンテナ１０から受信する通信部１１と、受信した広告用表示データを一時的に格納するメモリ（ＲＡＭ）部１４と、メモリ部１４から読み出された広告用表示データを表示する広告用表示部（大型液晶表示パネル）１３と、通信部１１とメモリ部１４と広告用表示部１３とを制御する制御部１２とを収容する。制御部１２もＣＰＵ，ＲＯＭ，ＲＡＭからなるマイクロコンピュータを備える。
【００１５】
このような構成における動作を図３に示すフローチャートを用いて説明する。
まず、ステップＳ１において、使用者による操作部５（図１）からの指令により撮像部２（図１）は対象物（商品）を撮像して画像を取得する。次に、バーコード読み取り部３（図１）によって対象物のバーコードを読み取る（ステップＳ２）。
【００１６】
読み取ったバーコードがバーコード情報として自動的に復号化される（ステップＳ３）。次に、制御部９は、対象物の画像が確認用表示部６と広告用表示部１３の第１領域（例えば、左半分）に、バーコード情報が表示部６と１３の第２領域（例えば、右半分）に表示されるように広告用表示データを作成する（ステップＳ４）。
【００１７】
次に、制御部９は、作成された広告用表示データを確認用表示部６に表示する（ステップＳ５）。表示された広告用データが使用者に確認され、ＯＫであれば（ステップＳ６）、操作部５が操作され、広告用表示データは通信部７を介して通信部１１（図２）へ送信される（ステップＳ７）。通信部１１で受信された広告用表示データは制御部１２により一時的にメモリ部１４に格納された後、広告用表示部１３に表示される（ステップＳ８）。
【００１８】
確認用表示部６および広告用表示部１３の表示例を図４に示す。図４では表示部６，１３の左側半分の領域Ａに対象物の画像が、右側半分の領域Ｂにバーコード情報が表示されている。
なお、第１ユニット１００は携帯情報端末として構成されて使用者によって携帯され、第２ユニットは購買者の目につき易いように商品の近傍に設置される。
【００１９】
この発明によれば、第１ユニットにおいてカメラ等で取得した商品画像と、商品のバーコードで読み取ったバーコード情報から、広告用表示画像を自動で作成でき、第２ユニットへその都度送信することで、パソコン操作や管理サーバからの送信といった煩わしさから解放されると共に、簡単な動作で広告用画像の表示が可能となる。
また、第１ユニットから第２ユニットへ無線通信にてデータを送信することで配線等も不要になり、さらに操作性はよくなる。
【符号の説明】
【００２０】
１  アンテナ
２  撮像部
３  バーコード読取り部
４  復号化処理部
５  操作部
６  表示部
７  通信部
８  メモリ部
９  制御部
１０  アンテナ
１１  通信部
１２  制御部
１３  表示部
１４  メモリ部
１００  第１ユニット
２００  第２ユニット
【図１】
2013222050.tif 000003
【図２】
2013222050.tif 000004
【図３】
2013222050.tif 000005
【図４】
2013222050.tif 000006